(57)【特許請求の範囲】
【請求項１】
筒状の柄における一端側にハンマー部を、他端側にナットに適合するソケットレンチ部を備えており、前記柄は透過性を有する合成樹脂で構成されていることを特徴とするソケットハンマー。
【請求項２】
柄の外周面にはナットのネジ込み量を計測する目盛りを形成してあることを特徴とする請求項１記載のソケットハンマー。
【請求項３】
ソケットレンチ部は、柄の内端に金属製のソケットを嵌め込むようにして構成してあり、ハンマー部は、柄における目盛りが形成されていない部分に金属パイプを内挿すると共に柄から突出した金属パイプ部分にハンマー頭を固定して構成してあることを特徴とする請求項１又は２記載のソケットハンマー。
【発明の詳細な説明】
【０００１】
【発明の属する技術分野】
この発明は、ソケットハンマーに関するものである。
【０００２】
【従来の技術】
ソケットハンマーは、一般に、着色された筒状の柄の一端部にハンマー部を、他端部にナットに適合するソケットレンチ部を備えており、前記柄を握った状態でハンマーやソケットレンチとして使用できるようになっている。
【０００３】
ソケットレンチ部は、柄の内端に金属製のソケットを固定配設して構成してあり、前記柄におけるソケットレンチ側の外周面には端部を「０」基準としてハンマー側に向かって目盛りを形成してある。
【０００４】
ここで、このソケットハンマーにより、アンカーボルト等の雄ネジ部に対してナットのネジ込み量を調整する場合、ナットのネジ込み作業中に時折ナットからソケットレンチ部を引き抜いて柄に形成した目盛りによりネジ込み量を測定するようにしていた。
【０００５】
しかしながら、このソケットハンマーでは、上記したソケットレンチ部の引き抜き作業を行わなければならないことから、作業効率が非常に悪いという問題があった。
【０００６】
したがって、この種のソケットハンマーを使用する業界では、面倒な作業をしなくてもナットのネジ込み量を目測できるソケットハンマーが開発されることを待ち望んでいる。
【０００７】
【発明が解決しようとする課題】
そこで、この発明では、面倒な作業をしなくてもナットのネジ込み量を目測できるソケットハンマーを提供することを課題とする。
【０００８】
【課題を解決するための手段】
（請求項１記載の発明）
この発明のソケットハンマーは、筒状の柄における一端側にハンマー部を、他端側にナットに適合するソケットレンチ部を備えており、前記柄は透過性を有する合成樹脂で構成されている。
（請求項２記載の発明）
この発明のソケットハンマーは、上記請求項１記載の発明に関し、柄の外周面にはナットのネジ込み量を計測する目盛りを形成してある。
（請求項３記載の発明）
この発明のソケットハンマーは、上記請求項１又は２記載の発明に関し、ソケットレンチ部は、柄の内端に金属製のソケットを嵌め込むようにして構成してあり、ハンマー部は、柄における目盛りが形成されていない部分に金属パイプを内挿すると共に柄から突出した金属パイプ部分にハンマー頭を固定して構成してある。
【０００９】
なお、上記ソケットハンマーの機能については、以下の発明の実施の形態の欄で明らかにする。
【００１０】
【発明の実施の形態】
以下、この発明を実施例として示した図面に従って説明する。
【００１１】
図１はこの発明の実施形態のソケットハンマーSHの正面図であり、図２は前記ソケットハンマーSHの断面図であり、図３は前記ソケットハンマーSHにより作業している状態を示す図である。
【００１２】
このソケットハンマーSHは、図１や図４に示すように、筒状の柄１における一端側にハンマー部２を、他端側にナットＮに適合するソケットレンチ部３を備えており、前記柄１は透過性を有する合成樹脂で構成されていると共に、その外周面にはナットＮのネジ込み量を計測するための目盛り10を形成してある。
【００１３】
柄１は、強化ポリカーボネート製の透過性を有する筒状のもので図１や図４に示すように、アンカーボルト等の雄ネジ部Ｂが十分に通過できる程度の内径に設定してあると共に、ハンマー部２側からソケットレンチ部３側に向かって徐々に拡径となるように形成してある。また、この柄１には、図１に示すように、ソケットレンチ部３が形成される端部近傍から中程にかけて、長手方向と直交する刻みを入れて形成した目盛り10（目盛りは５mm刻みであり、５cm、10cm、15cmの表示を有する）を設けてある。なお、図１中、符号11で表されるのは吊り下げ用の孔である。
【００１４】
ハンマー部２は、図１や図２に示すように、柄１における目盛り10が形成されていない部分に金属パイプ20を内挿すると共に柄１から突出した金属パイプ20部分にハンマー頭21を挿入固定して構成してある。なお、この実施形態では、柄１への金属パイプ20の挿入量は比較的長いものとしており、これによりハンマーとして使用した場合でも簡単に柄１が破損しないようにしてある。
【００１５】
ソケットレンチ部３は、図２に示すように、柄１の内端に金属製のソケット30を嵌め込むようにして構成してある。
【００１６】
なお、上記した目盛り10の基準０cmとなる位置は、図４に示すように、ナットＮがソケット30内の奥側に押し付けられた状態におけるナットＮの外側面に設定してある。
【００１７】
このソケットハンマーSHは上記のような構成であるから、以下の▲１▼、▲２▼に示す機能を有している。
▲１▼．ハンマーとして使用する場合、手で握る部分は刻みを入れて形成した目盛り10を有する大径部分となるから、握り手は滑ることがなく力が入る。
▲２▼．例えば、図３に示すように梁から垂下した雄ネジ部ＢにナットＮをネジ込む作業を行う場合、ソケット30をナットＮに嵌め込み、ハンマー頭21を利用してナットＮを回して締め込んでいく。この作業の際に、柄１は透過性を有し且つ軸方向と直交する目盛り10を有するから、雄ネジ部Ｂの先端が柄１内のどの位置に達しているか、つまりナットＮのネジ込み量がどの程度であるかを柄１の構成壁面を通して目視することができる。したがって、このハンマーレンチを使用した場合、従来のハンマーレンチの如く、ナットＮからソケットレンチSHを引き抜いて計測する必要がなく、ナットＮのネジ込み量の調整に手間取らない。
▲３▼．このソケットハンマーでは、ソケットレンチ部３は、強化ポリカーボネート製の柄１の内端に金属製のソケット30を嵌め込んで、ハンマー部２は、柄１に金属パイプ20を内挿すると共に柄１から突出した金属パイプ20部分にハンマー頭21を固定して、それぞれ構成してあるから、安価で且つ強度が高いものとなる。
【００１８】
なお、上記実施形態では、透過性を有する柄１の外周面にナットＮのネジ込み量を計測する目盛り10を形成してあるが、これに限定されることなく、前記目盛り10が形成されていないものとすることができる。この場合においても、柄１の構成壁を通してナットＮのネジ込み量を目測できる。
【００１９】
また、上記実施形態では、柄１を強化ポリカーボネートにより構成しているが、これに限定されることなく、強度を有し且つ透過性を有するものであれば他の合成樹脂を採用することも可能である。
【００２０】
【発明の効果】
この発明は上記のような構成であるから次の効果を有する。
【００２１】
上記発明の実施形態の欄の説明から明らかなように、面倒な作業をしなくてもナットのネジ込み量を目測できるソケットハンマーを提供できた。
【図面の簡単な説明】
【図１】この発明の実施形態のソケットハンマーの正面図。
【図２】前記ソケットハンマーの断面図。
【図３】前記ソケットハンマーを使用して作業をする様子を示す図。
【図４】作業途中のソケットハンマーの正面図。
【符号の説明】
Ｎ        ナット
Ｂ        雄ネジ部
１        柄
２        ハンマー部
３        ソケットレンチ部
10        目盛り
20        金属パイプ
21        ハンマー頭
30        ソケット
【図１】
0004403341.tif 000002
【図２】
0004403341.tif 000003
【図３】
0004403341.tif 000004
【図４】
0004403341.tif 000005